(57)【特許請求の範囲】
【請求項１】
女性のバストをそれぞれ覆う左右のカップ部２、３を有する女性用下着１において、前記女性のバストをそれぞれ覆う左右のカップ部２、３を構成する布地８ａ、８ｂを、バストトップ９、１０の少なくとも近傍を通る線１３によって少なくとも２つに分割するとともに、これらの少なくとも２つに分割された布地８ａ、８ｂのうち、上側に位置する布地８ａの下端縁に沿って設けられる縫い代１４の幅を、中央部分Ｂ−Ｂ’よりも両端部分Ａ−Ａ’及びＣ−Ｃ’を広く設定することにより、当該縫い代１４に設けられる縫接ぎ部１３の両端部分に、バストトップ９、１０を通る線Ｐ１−Ｐ−Ｐ２の凸量をカバーするゆとり量を持たせた上で、これらの少なくとも２つに分割された布地８ａ、８ｂを、バストトップ９、１０よりも若干下方の位置で互いに縫着したことを特徴とする女性用下着。
【請求項２】
前記女性のバストをそれぞれ覆う左右のカップ部２、３を構成する布地８ａ、８ｂの裏面側に芯体７ａ、７ｂを備え、前記布地８ａ、８ｂは、芯体７と一体的に縫着されていることを特徴とする請求項１に記載の女性用下着。
【発明の詳細な説明】
【０００１】
【発明の属する技術分野】
この発明は、ブラジャー等の女性用下着に関し、特にバストトップの形状を滑らかな形状に形成することが可能な女性用下着に関するものである。
【０００２】
【従来の技術】
近年、女性の社会進出の増加に伴い、女性が企業のオフィス等で仕事をする機会や、社会で活動する機会が、飛躍的に増加してきており、オフィス等で仕事をする女性や、街で活動する女性などが、服装等においてオシャレをしたり、個性を主張する機会がますます増えてきている。また、これに伴い、オフィスや街などにおける女性の服装も、周囲の人の注目を浴びるようになってきている。
【０００３】
ところで、女性の服装における現在の基礎衣料としてのブラジャーにおいては、その上にブラウスやセーター等の表着を着用した場合に、ブラジャーの形状がブラウスやセーター等の表着にそのまま響いてしまうと、如何にオシャレなブラウスやセーター等の表着を着用しても、女性のバストの美しいラインが崩れてしまうことになりかねない。
【０００４】
一般的に、ブラジャー１００等の女性用の下着において、円錐形状のバストトップ１０１を形成する場合には、図１０乃至１２に示すように、少なくとも２片からなる生地１０２ａ、１０２ｂを互いに縫い合わせて、女性のバストに沿った凸形状を創出するようになっている。そして、上記のような円錐形状のバストトップ１０１を形成するように構成されているが、この場合には、図１１に示すように、バストトップＰの凸形状の最も高い部分に、２片の生地１０２ａ、１０２ｂの接続点１０３を設けている。なお、図１１中、１０４ａ、１０４ｂは上下の芯体をそれぞれ示している。
【０００５】
【発明が解決しようとする課題】
しかしながら、上記従来技術の場合には、次のような問題点を有している。すなわち、上記従来のブラジャー等の女性用下着の場合には、円錐形状のバストトップを形成する際に、少なくとも２片からなる生地１０２ａ、１０２ｂを互いに縫い合わせて、女性のバストに沿った凸形状を創出するようになっているが、その際、バストトップの凸形状の最も高い部分に、２片の生地１０２ａ、１０２ｂの接続点１０３を設けている。
【０００６】
このことは、２片を形成する生地１０２ａ、１０２ｂの厚みによっても差はあるが、２辺の生地１０２ａ、１０２ｂを縫着した縫い代の重なりが、２辺の生地１０２ａ、１０２ｂの接続部１０３の上下いずれか（図１１では上部）に集積され、この２辺の生地１０２ａ、１０２ｂの接続部１０３が表着にも段差となって現れてしまい、本来表着に美しいシルエットを創造すべきファンデーションが、逆に表着に醜くいシルエットを生んでしまうという問題点があった。
【０００７】
そこで、この発明は、上記従来技術の問題点を解決するためになされたものであり、その目的とするところは、女性のバストをそれぞれ覆う左右のカップ部を有する女性用下着において、円錐形状のバストトップを形成する際に、少なくとも２片からなる生地の接続部が表着に段差となって現れるのを防止し、表着に本来の美しいシルエットを創造することが可能な女性用下着を提供することにある。
【０００８】
【課題を解決するための手段】
すなわち、請求項１に記載の発明は、女性のバストをそれぞれ覆う左右のカップ部２、３を有する女性用下着１において、前記女性のバストをそれぞれ覆う左右のカップ部２、３を構成する布地８ａ、８ｂを、バストトップ９、１０の少なくとも近傍を通る線１３によって少なくとも２つに分割するとともに、これらの少なくとも２つに分割された布地８ａ、８ｂのうち、上側に位置する布地８ａの下端縁に沿って設けられる縫い代１４の幅を、中央部分Ｂ−Ｂ’よりも両端部分Ａ−Ａ’及びＣ−Ｃ’を広く設定することにより、当該縫い代１４に設けられる縫接ぎ部１３の両端部分に、バストトップ９、１０を通る線Ｐ１−Ｐ−Ｐ２の凸量をカバーするゆとり量を持たせた上で、これらの少なくとも２つに分割された布地８ａ、８ｂを、バストトップ９、１０よりも若干下方の位置で互いに縫着するように構成したものである。
また、請求項２に記載の発明は、前記女性のバストをそれぞれ覆う左右のカップ部２、３を構成する布地８ａ、８ｂの裏面側に芯体７ａ、７ｂを備え、前記布地８ａ、８ｂは、芯体７と一体的に縫着されていることを特徴とする請求項１に記載の女性用下着である。
【０００９】
【作用】
この請求項１に記載の発明においては、女性のバストをそれぞれ覆う左右のカップ部を構成する布地を、バストトップの少なくとも近傍を通る線によって少なくとも２つに分割し、これらの少なくとも２つに分割された布地を、バストトップよりも若干下方の位置で互いに縫着するように構成したので、少なくとも２つに分割された布地を互いに縫着して、円錐形状のバストトップを形成する際に、少なくとも２片からなる布地の接続部が、バストトップよりも若干下方の位置にくるため、少なくとも２片からなる布地の接続部が表着に段差となって現れるのを防止することができ、表着に本来の美しいシルエットを創造することが可能となる。
【００１０】
【発明の実施の形態】
以下にこの発明を図示の実施の形態に基づいて説明する。
【００１１】
実施の形態１
図２はこの発明に係る女性用下着の一実施の形態としてのブラジャーを示すものである。
【００１２】
図２において、１は女性用下着としてのブラジャーを示すものであり、このブラジャー１は、女性のバストをそれぞれ覆う左右のカップ部２、３を有している。これらの左右のカップ部２、３は、当該左右のカップ部２、４の下側に縫着された下辺連結布４によって、一体的に連結されており、この下辺連結布４の左右両側には、女性の体の背面側で互いに係止される図示しない左右の側布がそれぞれ縫着されている。これら左右の側布の先端部には、フックやアイ等からなる図示しない係止具が、縫着等の手段によって取り付けられている。また、上記左右のカップ部２、３の三角形状に形成された上端部には、女性の肩に掛けるストラップ５、６がそれぞれ着されている。
【００１３】
上記左右のカップ部２、３は、図１に示すように、ウレタン等の弾性体からなる芯体７と、この芯体７の表面を覆う表地８とからそれぞれ構成されている。また、上記左右のカップ部２、３は、女性の体のバストの形状に合うように、バストトップ部９、１０にかけて円錐形状に形成するため、芯体７や表地８が少なくとも２片に分割されており、これらの少なくとも２片に分割された芯体７や表地８を互いに組み合わせて、所定の箇所を互いに縫着するようになっている。この図では、芯体７が上側の芯体７ａと、下側の芯体７ｂとに分割されており、表地８が上側の表地８ａと、下側の表地８ｂとに分割されている。これら上下の芯体７ａ、７ｂと、上下の表地８ａ、８ｂとは、ほぼ相似形状に形成されている。なお、図１中、２０はブラウス等の表着を示している。
【００１４】
その際、上記左右のカップ部２、３のバストポイントＰを形成する接続部１１、１２は、図１１に示すように、上下に分割された２つの芯体の接ぎ線１０３に、更に上下に分割された２枚の表地の接続部が一致してしまうと、少なくともこれ自体でも接続部１０３は、凸状態となってしまう。さらに、円錐形状のバストトップを形成する場合には、図４に示すように、少なくとも２片の生地からなる表地を互いに縫い合わせて、女性のバストに沿った凸形状を創出する必要があるが、この２片の布地からなる表地８ａ、８ｂの縫着線１３、１４が、水平に位置するいわゆる横接ぎの場合、女性がブラジャーを着用した際に、左右のバストカップ部に横方向の引っ張り力が作用すると、バストポイントＰは、所謂トビのくちばし形状となり、表着に醜く、シルエットとして、ハッキリと露出してしまう虞れがある。
【００１５】
そこで、この発明の一実施の形態では、バストポイントライン（芯体の接ぎ線）を構成する表地８ａ、８ｂの接ぎ部１１、１２を、トップラインＰ１−Ｐ−Ｐ２より下げて構成し、表地８ａ、８ｂをバストトップＰの少なくとも近傍を通る線によって上下方向に少なくとも２つに分割し、これらの少なくとも２つに分割された表地８ａ、８ｂを、バストトップＰよりも若干下方の位置で互いに縫着するように構成したことにより、表地８ａ、８ｂの縫い代の重なり部分がバストトップＰの位置より下がり、この縫い代の重なり部分によってバストトップ部Ｐに凸状部分が生じるのを回避すると共に、左右のバストカップ部２、３に横方向の引っ張り力が作用する場合でも、バストトップＰよりも若干下方に位置する縫い代の重なり部分によって、上下に分割された芯体７ａ、７ｂの開口部分を表地上布８ａによって抑え込もうとする力が作用するので、上下に分割された芯体７ａ、７ｂが所謂トビのくちばし形状に開いてしまうのを防止することができるようになっている。
【００１６】
さらに説明すると、この実施の形態では、女性のバストをそれぞれ覆う左右のカップ部２、３を構成する表地８を、図３乃至図５に示すように、バストトップＰを通るバストポイントラインＰ１−Ｐ−Ｐ２の若干下側で、上下方向に２つに分割し、これらの２つに分割された表地８ａ、８ｂを、バストポイントラインＰ１−Ｐ−Ｐ２の若干下側で接ぎ線１３に沿って互いに縫着するように構成したものである。その際、上側の表地８ａの下端縁は、図３に示すように、上端部が下側の表地８ｂの上端縁と一致するように地縫いした上で折り返して、下側の表地と互いに一体的に縫着される。その際、上記上下に２つに分割された表地８ａ、８ｂは、下側の芯体７ｂと一体的に縫着するように構成しても良い。なお、図６は、比較のため従来のブラジャーの２つに分割された表地８ａ、８ｂをそれぞれ示すものである。
【００１７】
また、上側の表地８ａの縫い代１４は、図７のＰ１−Ｐ−Ｐ２を結ぶバストポイントラインの両端Ｐ１、Ｐ２の部分にゆとり量をもたせる（ポイントＰからＰ１、Ｐ２に向けた外方にゆとり量をもたせる）ため、縫い代の幅を中央部分Ｂ≒Ｂ’よりも、両端部分Ａ≒Ａ’及びＣ≒Ｃ’を幾分広くする。ここで、Ａ、Ａ’やＢ、Ｂ’は、接ぎ縫線１３を中心にして幅方向両側の縫い代１４をそれぞれ示している。これらの縫い代１４を大小関係で表せば、Ｂ≒Ｂ’＜Ａ≒Ａ’及びＢ≒Ｂ’＜Ｃ≒Ｃ’となる。
【００１８】
さらに、この実施の形態では、上下の表地８ａ、８ｂの接ぎ線１３が、ポイントラインＰ１−Ｐ−Ｐ２より少なくとも縫い代１４（折り代）の３ｍｍ〜５ｍｍ以上、下側に設定されているため、ポイントラインＰ１−Ｐ−Ｐ２を覆う上側の表地８ａには、当該ポイントラインＰ１−Ｐ−Ｐ２の凸量をカバーするゆとり量が必要となる。そのため、図７のイ−ロの破線で示した縫い接ぎ部を、両端部であるＤ−Ｄ’，Ｅ−Ｅ’部分を少なくとも１ｍｍ以上大きく設定し、ポイントラインＰ１−Ｐ−Ｐ２の通常の接ぎ線よりも幾分大きくするようになっている。その結果、図５（Ｂ）の下側の表地８ｂの縫接ぎ部１３に、結果的に上側の表地が２ｍｍ以上重なり、縫着時にこの重なり部分をいせ込むように構成されている。
【００１９】
なお、前記実施の形態では、カップ部を構成する表地８ａ、８ｂを上下に２つに分割した場合に説明したが、これに限定されるものではなく、図８に示すように、バストカップ部の接ぎ線Ａは、カップ部を構成する表地を上下に２つに分割し、更に下側の表地を左右に２つに分割するように設定してもよく、図９に示すように、バストカップ部の接ぎ線は、カップ部を構成する表地を上下の分割線Ｃと、左右の分割線Ｂとから構成し、カップ部を構成する表地を上下左右の４つに分割するように設定してもよく、表地の縫い代の返しは、上、下、又は左、右いずれの設計でもよい。
【００２０】
また、前記実施の形態では、カップ部２、３を表地８と芯体７とから構成した場合について説明したが、裏地（芯体）は必ずしも使用されていなくとも良い
【００２１】
さらに、前記実施の形態のように、カップ部２、３を表地８と芯体７とから構成した場合、裏地（芯体）７とほぼ同一形状に設計、裁断される表地（特に下側の部分）８は、生産の効率上の点から、芯体７に事前に接着剤等を用いて貼り合わせるように構成しても良い。
【００２２】
また、縫い代１４は、一般的には５ｍｍ前後に設定されるが、これにより多い場合でも、少なく場合でも良いことは勿論である。
【００２３】
このように、前記実施の形態に係るブラジャー１では、女性のバストをそれぞれ覆う左右のカップ部２、３を、芯体７と表地８とからそれぞれ構成し、前記表地をバストトップの少なくとも近傍を通る線によって上下方向に２つに分割し、これらの少なくとも２つに分割された表地８ａ、８ｂを、バストトップＰよりも若干下方の位置で互いに縫着するように構成したので、少なくとも２つに分割された表地８ａ、８ｂの生地を互いに縫着して、円錐形状のバストトップを形成する際に、少なくとも２片からなる表地８ａ、８ｂの生地の接続部１１、１２が、バストトップＰよりも若干下方の位置にくるため、少なくとも２片からなる生地の接続部１１、１２が表着に段差となって現れるのを防止することができ、表着に本来の美しいシルエットを創造することが可能となる。
【００２４】
【発明の効果】
以上のとおり、この発明によれば、女性のバストをそれぞれ覆う左右のカップ部を有する女性用下着において、円錐形状のバストトップを形成する際に、２片からなる生地の接続部が表着に段差となって現われるのを防止し、表着に本来の美しいシルエットを創造することが可能な女性用下着を提供することができる。
【図面の簡単な説明】
【図１】  図１はこの発明に係る女性用下着の一実施の形態としてのブラジャーを示す要部断面図である。
【図２】  図２はこの発明に係る女性用下着の一実施の形態としてのブラジャーを示す外観斜視図である。
【図３】  図３はこの発明に係る女性用下着の一実施の形態としてのブラジャーを示す要部断面図である。
【図４】  図４はバストカップ部を示す正面図である。
【図５】  図５は表地を示す平面図である。
【図６】  図６は従来の表地を示す平面図である。
【図７】  図７は表地を示す平面図である。
【図８】  図８はバストカップ部を示す正面図である。
【図９】  図９はバストカップ部を示す正面図である。
【図１０】  図１０は従来のブラジャーを示す外観斜視図である。
【図１１】  図１１は従来のブラジャーを示す要部断面図である。
【図１２】  図１２は従来のバストカップ部を示す正面図である。
【符号の説明】
１：ブラジャー、２、３：左右のカップ部、４：下辺連結布、５：ストラップ、７：芯体、８：表地、８ａ：上側の表地、８ｂ：下側の表地、９、１０：バストトップ部、１１、１２：接続部、１３：縫着線、１４：縫い代。
【図１】
0003924590.tif 000002
【図２】
0003924590.tif 000003
【図３】
0003924590.tif 000004
【図４】
0003924590.tif 000005
【図５】
0003924590.tif 000006
【図６】
0003924590.tif 000007
【図７】
0003924590.tif 000008
【図８】
0003924590.tif 000009
【図９】
0003924590.tif 000010
【図１０】
0003924590.tif 000011
【図１１】
0003924590.tif 000012
【図１２】
0003924590.tif 000013